【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
動物の腹部、背部、骨盤部をほぼ覆って筒状にされるシート状のコルセット本体を備え、前記コルセット本体には、隣接させられる各両端部を着脱自在に連結する連結部が形成され、動物の前足を受け入れる前足受入れ部が形成され、動物に装着した場合に動物の背骨に沿うようにほぼ前端部から後端部に至って矯正用心材が配置されていることを特徴とする動物用コルセット。
【請求項２】
動物の腹部、背部、骨盤部をほぼ覆って筒状にされ、一表面に起毛された起毛部が形成されたシート部材からなるコルセット本体を備え、前記コルセット本体を筒状にした際に隣接させられた両端部を着脱自在に連結する連結部材と、前記コルセット本体を動物に装着した場合に動物の背骨に沿うように前記コルセット本体のほぼ前端部から後端部に至って配置される矯正用心材部材とを前記コルセット本体とは別部品にて形成し、前記コルセット本体の起毛部に着脱自在に係合し前記コルセット本体の起毛部との係合により前記連結部材及び矯正用心材部材を前記コルセット本体に取り付けるための係合部材が、前記連結部材及び矯正用心材部材に設けられていることを特徴とする動物用コルセット。
【請求項３】
動物の腹部、背部、骨盤部をほぼ覆って筒状にされるシート状のコルセット本体を備え、前記コルセット本体には隣接させられる各両端部を着脱自在に連結する連結部が形成され、動物の前足が受け入れられる部分を形成する前足受入れ部材を前記コルセット本体とは別部品にて形成し、前記前足受入れ部材にはその周方向の途中で分断された分断部が形成され、当該分断部及び前記コルセット本体又は前記分断部の他端には相互に係脱自在又は固定的に係合する係合構造が形成され、前記コルセット本体を動物に装着した場合に動物の背骨に沿うようにほぼ前端部から後端部に至って矯正用心材が配置されていることを特徴とする動物用コルセット。
【請求項４】
前記矯正用心材は複数本からなり、少なくとも胸椎、腰椎、骨盤を挟むように所定の間隔を隔てて胴回りに配置されるように前記コルセット本体に形成されていることを特徴とする請求項１記載の動物用コルセット。
【請求項５】
前記コルセット本体に形成された前足受入れ部は前記コルセット本体に一体に形成され、動物の前足が挿入される前足穴がコルセット本体に一体的に形成されていることを特徴とする請求項１記載の動物用コルセット。
【請求項６】
前記コルセット本体を動物に装着した場合に動物の腹部から骨盤部付近に至る部分には、動物の陰部付近との接触を避ける凹円弧部が形成されていることを特徴とする請求項１、２又は３のいずれかに記載の動物用コルセット。
【請求項７】
前記コルセット本体において動物の骨盤部付近に対応する位置には、動物の後ろ足が挿入される後ろ足穴が形成された骨盤締付部材が着脱自在に取り付けられることを特徴とする請求項１又は３記載の動物用コルセット。
【請求項８】
前記コルセット本体の隣接する両端部近傍には、前記コルセット本体を動物に装着した際に隣接する前記両端部間に形成される隙間を覆うための背部覆い部材が設けられていることを特徴とする請求項１又は３記載の動物用コルセット。
【請求項９】
前記コルセット本体が左右にほぼ分離された少なくとも２枚のシート部材を備え、隣接するシート部材には両シート部材を連結する連結部が形成され、当該連結部における隣接するシート部材の重なり合い代が調整自在となっていることを特徴とする請求項１又は３記載の動物用コルセット。
【請求項１０】
前記隣接するシート部材の少なくとも一方には各シート部材間に形成される隙間を覆うための腹部覆い部材が設けられていることを特徴とする請求項９記載の動物用コルセット。
【請求項１１】
前記コルセット本体の骨盤部付近に対応する位置に動物の後ろ足を持ち上げるための吊り具を取り付ける係止部が設けられていることを特徴とする請求項１又は３記載の動物用コルセット。
【請求項１２】
動物の後ろ足を受け入れさせる部分を形成する後ろ足受入れ部材を前記コルセット本体とは別部品にて形成し、前記コルセット本体の起毛部に着脱自在に係合し前記コルセット本体の起毛部との係合により前記後ろ足受入れ部材を前記コルセット本体に取り付けるための係合部材が前記後ろ足受入れ部材に設けられていることを特徴とする請求項２記載の動物用コルセット。
【請求項１３】
動物の前足を受け入れさせる部分を形成する前足受入れ部材を前記コルセット本体とは別部品にて形成し、前記コルセット本体の起毛部に着脱自在に係合し前記コルセット本体の起毛部との係合により前記前足受入れ部材を前記コルセット本体に取り付けるための係合部材が前記前足受入れ部材に設けられていることを特徴とする請求項２記載の動物用コルセット。
【請求項１４】
前記連結部材、前足受入れ部材又は後ろ足受入れ部材に設けた係合部材が、前記連結部材、前足受入れ部材又は後ろ足受入れ部材を前記コルセット本体の起毛部に容易に離脱しないようにほぼ固定的に強力に係合する強力係合部であるか、又は、当該強力係合部により前記コルセット本体の起毛部に係合させられた前記連結部材、前足受入れ部材又は後ろ足受入れ部材の先端部付近に設けられ、当該先端部付近を前記コルセット本体の起毛部に容易に離脱できるように比較的軽強度で係合する軽強度係合部であることを特徴とする請求項２、１２又は１３のいずれかに記載の動物用コルセット。
【請求項１５】
前記コルセット本体が、動物の胴体に沿って配置できるように前記シート部材を立体裁断して立体的に縫製されていることを特徴とする請求項２記載の動物用コルセット。
【請求項１６】
前記縫製は、前記シート部材の隣接する部分に千鳥縫いを施し、その千鳥縫い部分に直線縫いを返し縫いにより施すことにより行われていることを特徴とする請求項１５記載の動物用コルセット。
【請求項１７】
前記矯正用心材部材が袋状に形成された袋状部材内に心材となる骨材を収納して形成され、前記袋状部材の外面一面に設けた係合部材が、前記矯正用心材部材を前記コルセット本体の起毛部に容易に離脱しないようにほぼ固定的に強力に係合する強力係合部からなることを特徴とする請求項２記載の動物用コルセット。
【請求項１８】
前記袋状部材の内面に起毛された起毛材料と当該起毛材料に係合する係合材料とが相対して配置されていることを特徴とする請求項１７記載の動物用コルセット。
【請求項１９】
前記連結部材、前足受入れ部材又は後ろ足受入れ部材に設けた係合部材が前記連結部材、前足受入れ部材又は後ろ足受入れ部材とは別部品にて形成され、前記係合部材の一面には前記コルセット本体の起毛部に係合する係合部が形成され、他面には前記連結部材、前足受入れ部材又は後ろ足受入れ部材に係合する係合部が形成されており、前記係合部材が前記コルセット本体の起毛部と前記連結部材、前足受入れ部材又は後ろ足受入れ部材との間に介挿されることを特徴とする請求２、１２又は１３のいずれかに記載の動物用コルセット。
【請求項２０】
前記係合部材に形成された一の係合部が、前記コルセット本体の起毛部又は前記連結部材、前足受入れ部材又は後ろ足受入れ部材のいずれかに容易に離脱しないようにほぼ固定的に強力に係合する強力係合部となっており、前記他の係合部が前記コルセット本体の起毛部又は前記連結部材、前足受入れ部材又は後ろ足受入れ部材のいずれかに容易に離脱できるように比較的軽強度で係合する軽強度係合部となっていることを特徴とする請求項１９記載の動物用コルセット。
【請求項２１】
前記コルセット本体を形成するシート部材が左右方向に複数枚に分割され、これらの分割されたシート部材の重合部に分割されたシート部材を相互に連結する係合部材が設けられていることを特徴とする請求項２記載の動物用コルセット。
【請求項２２】
動物の後ろ足を持ち上げるための吊り具が取り付けられる係止部材を前記コルセット本体とは別部品にて形成し、前記コルセット本体の起毛部に着脱自在に係合し前記コルセット本体の起毛部との係合により前記係止部材を前記コルセット本体の骨盤部付近に対応する位置に取り付けるための係合部材が前記係止部材に設けられていることを特徴とする請求項２記載の動物用コルセット。
【請求項２３】
前記前足受入れ部にはその周方向の途中で分断された分断部が形成され、当該分断部及び前記コルセット本体又は前記分断部の他端には相互に係脱自在に係合する係合構造が形成されていることを特徴とする請求項１記載の動物用コルセット。
【請求項２４】
前記骨盤締付部材にはその周方向の途中で分断された分断部が形成され、当該分断部及び前記コルセット本体又は前記分断部の他端には相互に係脱自在に係合する係合構造が形成されていることを特徴とする請求項７記載の動物用コルセット。
【請求項２５】
シート部材のうち動物の少なくとも腹部付近に相当する部分に起毛部が形成され、隣接する他のシート部材の端部には前記起毛部に係脱自在に係合する係合部が形成され、前記起毛部及び係合部により前記連結部となし、前記起毛部と係合部との係合位置を調整することにより隣接するシート部材の重なり合い代が調整自在となっていることを特徴とする請求項９記載の動物用コルセット。
【請求項２６】
前記シート部材が動物の腹部側を覆う腹部覆い部材と動物の背部側を覆う背部覆い部材とを備え、前記腹部覆い部材及び背部覆い部材の隣接する端部付近には相互に係脱自在に係合する係合構造が形成され、当該係合構造により前記連結部となし、これらの係合構造の係合位置を調整することにより隣接する前記腹部覆い部材と背部覆い部材との重なり合い代が調整自在となっていることを特徴とする請求項９記載の動物用コルセット。
【請求項２７】
前記前足受入れ部材が、その両端付近を前記コルセット本体に着脱自在又は固定的に取り付けるベルト状の一のベルト部材と、当該一のベルト部材のほぼ中間部付近に一端が固定的又は着脱自在に連結され、その他端が前記コルセット本体に固定的又は着脱自在に取り付けられるベルト状の他のベルト部材とを備えたことを特徴とする請求項３記載の動物用コルセット。
【請求項２８】
前記一又他のベルト部材の途中には、これらのベルト部材により形成される前足を受入れさせる部分の開口寸法を調整自在とする調整機構が設けられていることを特徴とする請求項２７記載の動物用コルセット。
【手続補正２】
【補正対象書類名】明細書
【補正対象項目名】全文
【補正方法】変更
【補正の内容】
【発明の詳細な説明】
【発明の名称】動物用コルセット
【技術分野】
【０００１】
本発明は、犬や猫などの四足歩行の動物を対象とした、胸椎、腰椎、骨盤の動きを制限したり歪みを矯正したりするために使用される動物用コルセットに関する。
【背景技術】
【０００２】
動物の胸椎、腰椎、骨盤の動きを制限したり歪みを矯正したりするためにコルセットを着用させるということは考えられてはいない。したがって、動物の胸椎、腰椎、骨盤の動きを制限したり歪みを矯正したりするコルセットのような器具も存在しない。
【０００３】
これに対し、人間に対して胸椎、腰椎、骨盤の動きを制限したり、歪みを矯正したりするコルセットは種々提案されている。
【０００４】
このような人間用のコルセットの例としては、特許文献１に示すように、人間の腰部に巻き付けて装着する全体が横長の帯状に形成されたコルセット本体と、このコルセット本体の左右両側部に設けられた互いに係止させられる係止手段とからなり、コルセット本体を腰部に装着した状態で、係止手段を用いて腹部側にて連結して人体に装着するようにしている。コルセット本体の上縁部がウエスト部分まで位置し、コルセット本体の下縁部は腹部側が少なくとも足の付け根部分よりも上部に位置し、臀部側が臀部のトップラインよりも下方に位置するように設けられている。
【特許文献１】特開２００４−１８１０５７号
【発明の開示】
【発明が解決しようとする課題】
【０００５】
しかしながら、従来の人間用のコルセットは、人間の体型を元に考案されているので、動物用のコルセットとして適用した場合には、次のような問題がある。
【０００６】
（１）動物の立位状態では、腹部が床面に向いているので、腹部に係止手段がある上述した人間用コルセットを動物の飼育人が装着しようとした場合、飼育人が動物の腹部の下に回りこまなければならず面倒である。動物が装着することを嫌がって体を伏せてしまった場合は、腹部に回り込むことができずさらに面倒であり、装着不能となる場合も多い。
【０００７】
（２）動物の後ろ足の付け根は、人間に比べてより頭側方向に付いているので、上述した人間用コルセット本体ではその腹部側の下縁部と後ろ足の付け根が干渉したり接触したりしてぶつかりやすい。
【０００８】
（３）このような動物の後ろ足の付け根との干渉を防止するためには、上述した人間用のコルセット本体における腹部側の下縁部を大きくカットすることが考えられるが、腹部側の下縁部をカットしてしまうと骨盤を覆う面が少なくなり、骨盤部のサポートが不十分になり、コルセットにより胸椎、腰椎、骨盤の動きを制限したり歪みを矯正したりする効果が低下してしまう。
【０００９】
（４）雄動物の陰茎は、人間に比べてより頭側方向にあり、また陰茎よりも尾側方向には骨盤が位置することが多いので、上述した人間用のコルセット本体で骨盤を覆うと陰茎も同時に覆われるように配置されることになり、特に雄動物が放尿をすると尿がコルセット本体にかかってしまい不衛生である。
【００１０】
（５）人間用のコルセット本体の上縁部はウエスト部分までのものが多いが、これでは動物のウエスト部分は脊椎疾患が発生しやすい部位であることから、動物のウエスト部分を十分に覆う長さにしなければならないが、上述した人間用のコルセット本体では上縁部の長さが短く固定力が弱い。
【００１１】
（６）動物の性格的気質上、コルセットのような体の動きを制限するものは装着することを嫌がり、コルセットを脱ぐことを試みることが多く、上述した人間用のコルセットでは動物の動作により外れたり位置ずれが生じたりしやすい。
【００１２】
本発明は、かかる事情に鑑みてなされたもので、第１の目的は、動物への装着が容易で、動物の体型などにも適合し、効果的に胸椎、腰椎、骨盤の動きを制限したり歪みを矯正したりすることができる動物用コルセットを提供することにある
【００１３】
本発明の第２の目的は、装着する動物の体格に応じてハサミやニッパなどの手工具により寸法や強度を微調整することができ、工業生産性を高めて、製造コストが低減できる動物用コルセットを提供することにある。
【課題を解決するための手段】
【００１４】
（１）本発明の請求項１記載の動物用コルセットは、動物の腹部、背部、骨盤部をほぼ覆って筒状にされるシート状のコルセット本体を備え、前記コルセット本体には、隣接させられる各両端部を着脱自在に連結する連結部が形成され、動物の前足を受け入れる前足受入れ部が形成され、動物に装着した場合に動物の背骨に沿うようにほぼ前端部から後端部に至って矯正用心材が配置されていることを特徴とする。
（２）本発明の請求項２記載の動物用コルセットは、動物の腹部、背部、骨盤部をほぼ覆って筒状にされ、一表面に起毛された起毛部が形成されたシート部材からなるコルセット本体を備え、前記コルセット本体を筒状にした際に隣接させられた両端部を着脱自在に連結する連結部材と、前記コルセット本体を動物に装着した場合に動物の背骨に沿うように前記コルセット本体のほぼ前端部から後端部に至って配置される矯正用心材部材とを前記コルセット本体とは別部品にて形成し、前記コルセット本体の起毛部に着脱自在に係合し前記コルセット本体の起毛部との係合により前記連結部材及び矯正用心材部材を前記コルセット本体に取り付けるための係合部材が、前記連結部材及び矯正用心材部材に設けられていることを特徴とする。
（３）発明の請求項３記載の動物用コルセットは、動物の腹部、背部、骨盤部をほぼ覆って筒状にされるシート状のコルセット本体を備え、前記コルセット本体には隣接させられる各両端部を着脱自在に連結する連結部が形成され、動物の前足が受け入れられる部分を形成する前足受入れ部材を前記コルセット本体とは別部品にて形成し、前記前足受入れ部材にはその周方向の途中で分断された分断部が形成され、当該分断部及び前記コルセット本体又は前記分断部の他端には相互に係脱自在又は固定的に係合する係合構造が形成され、前記コルセット本体を動物に装着した場合に動物の背骨に沿うようにほぼ前端部から後端部に至って矯正用心材が配置されていることを特徴とする。
（４）本発明の請求項４記載の動物用コルセットは、前記矯正用心材は複数本からなり、少なくとも胸椎、腰椎、骨盤を挟むように所定の間隔を隔てて胴回りに配置されるように前記コルセット本体に形成されていることを特徴とする。
（５）本発明の請求項５記載の動物用コルセットは、前記コルセット本体に形成された前足受入れ部は前記コルセット本体に一体に形成され、動物の前足が挿入される前足穴がコルセット本体に一体的に形成されていることを特徴とする。
（６）本発明の請求項６記載の動物用コルセットは、前記コルセット本体を動物に装着した場合に動物の腹部から骨盤部付近に至る部分には、動物の陰部付近との接触を避ける凹円弧部が形成されていることを特徴とする。
（７）本発明の請求項７記載の動物用コルセットは、前記コルセット本体において動物の骨盤部付近に対応する位置には、動物の後ろ足が挿入される後ろ足穴が形成された骨盤締付部材が着脱自在に取り付けられることを特徴とする。
（８）本発明の請求項８記載の動物用コルセットは、前記コルセット本体の隣接する両端部近傍には、前記コルセット本体を動物に装着した際に隣接する前記両端部間に形成される隙間を覆うための背部覆い部材が設けられていることを特徴とする。
（９）本発明の請求項９記載の動物用コルセットは、前記コルセット本体が左右にほぼ分離された少なくとも２枚のシート部材を備え、隣接するシート部材には両シート部材を連結する連結部が形成され、当該連結部における隣接するシート部材の重なり合い代が調整自在となっていることを特徴とする。
（１０）本発明の請求項１０記載の動物用コルセットは、前記隣接するシート部材の少なくとも一方には各シート部材間に形成される隙間を覆うための腹部覆い部材が設けられていることを特徴とする。
（１１）本発明の請求項１１記載の動物用コルセットは、前記コルセット本体の骨盤部付近に対応する位置に動物の後ろ足を持ち上げるための吊り具を取り付ける係止部が設けられていることを特徴とする。
（１２）本発明の請求項１２記載の動物用コルセットは、動物の後ろ足を受け入れさせる部分を形成する後ろ足受入れ部材を前記コルセット本体とは別部品にて形成し、前記コルセット本体の起毛部に着脱自在に係合し前記コルセット本体の起毛部との係合により前記後ろ足受入れ部材を前記コルセット本体に取り付けるための係合部材が前記後ろ足受入れ部材に設けられていることを特徴とする。
（１３）本発明の請求項１３記載の動物用コルセットは、動物の前足を受け入れさせる部分を形成する前足受入れ部材を前記コルセット本体とは別部品にて形成し、前記コルセット本体の起毛部に着脱自在に係合し前記コルセット本体の起毛部との係合により前記前足受入れ部材を前記コルセット本体に取り付けるための係合部材が前記前足受入れ部材に設けられていることを特徴とする。
（１４）本発明の請求項１４記載の動物用コルセットは、前記連結部材、前足受入れ部材又は後ろ足受入れ部材に設けた係合部材が、前記連結部材、前足受入れ部材又は後ろ足受入れ部材を前記コルセット本体の起毛部に容易に離脱しないようにほぼ固定的に強力に係合する強力係合部であるか、又は、当該強力係合部により前記コルセット本体の起毛部に係合させられた前記連結部材、前足受入れ部材又は後ろ足受入れ部材の先端部付近に設けられ、当該先端部付近を前記コルセット本体の起毛部に容易に離脱できるように比較的軽強度で係合する軽強度係合部であることを特徴とする。
（１５）本発明の請求項１５記載の動物用コルセットは、前記コルセット本体が、動物の胴体に沿って配置できるように前記シート部材を立体裁断して立体的に縫製されていることを特徴とする。
（１６）本発明の請求項１６記載の動物用コルセットは、前記縫製は、前記シート部材の隣接する部分に千鳥縫いを施し、その千鳥縫い部分に直線縫いを返し縫いにより施すことにより行われていることを特徴とする。
（１７）本発明の請求項１７記載の動物用コルセットは、前記矯正用心材部材が袋状に形成された袋状部材内に心材となる骨材を収納して形成され、前記袋状部材の外面一面に設けた係合部材が、前記矯正用心材部材を前記コルセット本体の起毛部に容易に離脱しないようにほぼ固定的に強力に係合する強力係合部からなることを特徴とする。
（１８）本発明の請求項１８記載の動物用コルセットは、前記袋状部材の内面に起毛された起毛材料と当該起毛材料に係合する係合材料とが相対して配置されていることを特徴とする。
（１９）本発明の請求項１９記載の動物用コルセットは、前記連結部材、前足受入れ部材又は後ろ足受入れ部材に設けた係合部材が前記連結部材、前足受入れ部材又は後ろ足受入れ部材とは別部品にて形成され、前記係合部材の一面には前記コルセット本体の起毛部に係合する係合部が形成され、他面には前記連結部材、前足受入れ部材又は後ろ足受入れ部材に係合する係合部が形成されており、前記係合部材が前記コルセット本体の起毛部と前記連結部材、前足受入れ部材又は後ろ足受入れ部材との間に介挿されることを特徴とする。
（２０）本発明の請求項２０記載の動物用コルセットは、前記係合部材に形成された一の係合部が、前記コルセット本体の起毛部又は前記連結部材、前足受入れ部材又は後ろ足受入れ部材のいずれかに容易に離脱しないようにほぼ固定的に強力に係合する強力係合部となっており、前記他の係合部が前記コルセット本体の起毛部又は前記連結部材、前足受入れ部材又は後ろ足受入れ部材のいずれかに容易に離脱できるように比較的軽強度で係合する軽強度係合部となっていることを特徴とする。
（２１）本発明の請求項２１記載の動物用コルセットは、前記コルセット本体を形成するシート部材が左右方向に複数枚に分割され、これらの分割されたシート部材の重合部に分割されたシート部材を相互に連結する係合部材が設けられていることを特徴とする。
（２２）本発明の請求項２２記載の動物用コルセットは、動物の後ろ足を持ち上げるための吊り具が取り付けられる係止部材を前記コルセット本体とは別部品にて形成し、前記コルセット本体の起毛部に着脱自在に係合し前記コルセット本体の起毛部との係合により前記係止部材を前記コルセット本体の骨盤部付近に対応する位置に取り付けるための係合部材が前記係止部材に設けられていることを特徴とする。
（２３）本発明の請求項２３記載の動物用コルセットは、前記前足受入れ部にはその周方向の途中で分断された分断部が形成され、当該分断部及び前記コルセット本体又は前記分断部の他端には相互に係脱自在に係合する係合構造が形成されていることを特徴とする。
（２４）本発明の請求項２４記載の動物用コルセットは、前記骨盤締付部材にはその周方向の途中で分断された分断部が形成され、当該分断部及び前記コルセット本体又は前記分断部の他端には相互に係脱自在に係合する係合構造が形成されていることを特徴とする。
（２５）本発明の請求項２５記載の動物用コルセットは、シート部材のうち動物の少なくとも腹部付近に相当する部分に起毛部が形成され、隣接する他のシート部材の端部には前記起毛部に係脱自在に係合する係合部が形成され、前記起毛部及び係合部により前記連結部となし、前記起毛部と係合部との係合位置を調整することにより隣接するシート部材の重なり合い代が調整自在となっていることを特徴とする。
（２６）本発明の請求項２６記載の動物用コルセットは、前記シート部材が動物の腹部側を覆う腹部覆い部材と動物の背部側を覆う背部覆い部材とを備え、前記腹部覆い部材及び背部覆い部材の隣接する端部付近には相互に係脱自在に係合する係合構造が形成され、当該係合構造により前記連結部となし、これらの係合構造の係合位置を調整することにより隣接する前記腹部覆い部材と背部覆い部材との重なり合い代が調整自在となっていることを特徴とする。
（２７）本発明の請求項２７記載の動物用コルセットは、前記前足受入れ部材が、その両端付近を前記コルセット本体に着脱自在又は固定的に取り付けるベルト状の一のベルト部材と、当該一のベルト部材のほぼ中間部付近に一端が固定的又は着脱自在に連結され、その他端が前記コルセット本体に固定的又は着脱自在に取り付けられるベルト状の他のベルト部材とを備えたことを特徴とする。
（２８）本発明の請求項２８記載の動物用コルセットは、前記一又他のベルト部材の途中には、これらのベルト部材により形成される前足を受入れさせる部分の開口寸法を調整自在とする調整機構が設けられていることを特徴とする。
【発明の効果】
【００１５】
（１）コルセット本体に形成された前足受入れ部に動物の前足を受け入れさせ、コルセット本体を動物の腹部、背部、骨盤部をほぼ覆うように筒状に配置して、動物の背側で連結部により着脱自在に連結し、矯正用心材を動物の背骨に沿って配置するといった簡単な操作で、コルセット本体を動物に容易に装着することができる。矯正用心材が動物の背骨に沿って配置されているので、動物の胸椎、腰椎、骨盤の動きを制限したり歪みを矯正したりすることを効果的に行うことができる。また、コルセット本体の前縁部の背中側が少なくとも首の付け根より尾側方向に位置し、コルセット本体の後縁部の背中側が少なくとも尾尻の付け根より頭側方向に位置するように設ければ、首の付け根と尾尻の付け根にコルセット本体と動物の皮膚とによる擦れに起因する傷を創ることを抑制できる。
（２）表面に起毛部を有するシート部材からコルセット本体が形成され、しかも連結部材や矯正用心材部材などは別部品であるので、動物の体格に合わせてハサミやニッパなどの手工具によりコルセット本体を切断して寸法を調整できる。寸法が調整されたコルセット本体に対して別部品とした連結部材や矯正用心材部材を係合部材により係合させ、コルセットの本来の機能を発揮させることができる。また、本動物用コルセットでは装着すべき動物に応じたオーダーメードで作成するのではなく、おおよその大きさに工場で製造したコルセット本体を装着する動物病院などにおいて寸法を調整する方式を採用でき、工場で所定の規格寸法で既製品化ができ、大量生産に伴う製造コストの低減が図れる。さらに、シート部材を不織布など切断してもほつれやほころびの生じない材料により形成すれば、ハサミなどの手工具によりコルセット本体を切断してもシート部材にほころびが生ずることがない。さらに、矯正用心材部材の係合部材によるコルセット本体に対する固定位置や取付個数を変えれば、動物用コルセットに持たせる強度などの機能を調整することができる。
（３）コルセット本体とは別部品からなる前足受入れ部材を分断部で分断し、コルセット本体をおおよそ動物に装着した後に分断部をコルセット本体又は分断部の他端に係合することができ、この操作により、本動物用コルセットの装着を嫌がる動物に対して容易に装着することができる。
（４）複数本の矯正用心材を胸椎、腰椎、骨盤を挟むように所定の間隔を隔てて胴回りに配置すれば、動物の胸椎、腰椎、骨盤の動きを制限したり歪みを矯正したりすることをさらに効果的に行うことができる。矯正用心材を少なくとも骨盤を挟んで前後に設けることにより、体を前後に曲げた場合のみならず、左右に傾けた場合でも、矯正用芯材によって胸部、腰部、骨盤部の動きを安定的に制限することができる。
（５）前足受け入れ部が前足挿入穴をコルセット本体に一体的に形成したものであれば、コルセット本体を動物に装着する場合に装着作業が容易になるとともに、動物がコルセット本体を排除しようと動作した場合でもコルセット本体がずれたり外れたりすることが防止できる。
（６）コルセット本体部に形成された凹円弧部により動物の腹部から骨盤部付近に至る部分とコルセット本体との接触を避けることができ、コルセット本体により当該部分を傷つけることなどを防止できるとともに、尿がコルセット本体にかかり不衛生になることも防止できる。
（７）後ろ足穴が形成された骨盤締付部材をコルセット本体に着脱自在に取り付け、骨盤締付部材の後ろ足穴に動物の後ろ足を挿入することによりコルセット本体を確実に動物に装着することができる。骨盤締付部材により動物の骨盤部を安定してサポートすることができ、骨盤部の変形の制限や矯正を行うことができる。さらに、骨盤締付部材をコルセット本体よりも肌触りの良い柔らかい布地などの材料により形成すれば、骨盤締付部材を後ろ足の付け根付近の敏感な部分に配置しても、肌荒れや擦り傷の発生を抑制することができる。また、コルセット本体に設けられた前足穴及び骨盤締付部材に形成された後ろ足穴に動物の四肢を通し、コルセット本体の左右両側端を互いに連結部で動物の背部で連結すれば、前足穴および後ろ足穴が四肢の付け根に引っ掛かり胴体から前後左右にずれる心配がなく、動物がコルセット本体の装着を嫌がって脱ぐことを試みても、背中側に連結部があるので、四肢が届かずに脱ぐことができず、コルセットの装着を長時間持続することができる。
（８）コルセット本体を動物に装着する場合に、動物の体型に合わせてコルセット本体の隣接する両端部付近の連結部を調整した場合において、両端部間に隙間が形成されることがあるが、両端部近傍に形成された背部覆い部材により背部に形成された隙間を覆うことができる。
（９）左右にほぼ分離された２枚のシート部材が連結部により連結され、これらのシート部材の重なり合い代が調整自在になったものでは、コルセット本体の両端部の連結部によるコルセット本体の巻寸法の調整に加えて、シート部材に形成された連結部による重なり合い代を調整することでコルセット本体の巻寸法を調整することができる。
（１０）２枚のシート部材の重なり合い代を調整する際にシート部材間に隙間が形成される場合があるが、シート部材に形成された腹部覆い部材によりこの隙間を覆うことができる。
（１１）コルセット本体に形成された係止部に動物の後ろ足を持ち上げるための吊り具を取り付けることができ、当該吊り具を牽引することにより動物の胴体にしっかり固定されたコルセット本体を介して動物の後ろ足を持ち上げて主として前足のみで歩行させることができる。本コルセットを装着しなければならないような症状を発症した動物には往々にして後ろ足に障害が出ることが多いので、吊り具で牽引することにより動物の歩行を助けることができる。
（１２）後ろ足受入れ部材を係合部材によりコルセット本体に装着して後ろ足の受入れやコルセット本体の動物への保持を図ることができる。
（１３）前足受入れ部材を係合部材によりコルセット本体に装着して前足の受入れやコルセット本体の動物への保持を図ることができる。
（１４）連結部材、前足受入れ部材、後ろ足受入れ部材を係合部材の強力係合部によりコルセット本体に容易に離脱できないほぼ固定状態で係合させることができ、連結部材や前足受入れ部材などのコルセット本体からの離脱を防止することができる。さらに、連結部材や前足受入れ部材などの先端付近は係合部材の軽強度係合部によりコルセット本体に容易に離脱できる比較的軽強度で係合させることができ、コルセット本体を動物に装着した場合に動物の胴体の大きさなどに応じて連結部材や前足受入れ部材などの先端部位置を容易に変えることができる。
（１５）コルセット本体は立体裁断され立体的に縫製されているので、動物の胴体にフィットさせることができ、矯正などの目的や機能を有効に果たすことができる。
（１６）立体的な縫製はシート部材の隣接する部分に千鳥縫いを施しその千鳥縫い部分に直線縫いを返し縫いにより施すことにより行われているので、縫製された部分をハサミなどの手工具により切断しても縫製部分の糸がほつれることが防止できる。
（１７）矯正用心材部材においては、袋状部材内に骨材が収納されるので、骨材が露出することが無く、骨材が収納された袋状部材を強力係合部により強力にコルセット本体に固定することができる。
（１８）袋状部材の内面に設けた起毛材料と係合材料とが係合するようになっているので、骨材の長さよりも少し長い寸法を有する袋状部材内に骨材を挿入するようにすれば、入り口部において起毛材料と係合材料とが係合させられて入り口部分で骨材が外に出ないように封をした状態にすることができる。
（１９）連結部材、前足受入れ部材、後ろ足受入れ部材とは別部材で形成された係合部材を、コルセット本体の適宜の位置に係合させ連結部材、前足受入れ部材、後ろ足受入れ部材を取り付けることができ、連結部材などの取付位置を柔軟に設定することができる。
（２０）別部品である係合部材をコルセット本体に強力に固定するとともに連結部材など軽強度で係合させる態様と、逆に別部品である係合部材をコルセット本体に軽強度で係合するとともに連結部材などを強力に固定する態様とのいずれかを選択することができる。
（２１）分割されたシート部材の重なり合い代を変更し係合部材による係合位置を変更することにより動物の体格など対応してコルセット本体の寸法が調整できる。
（２２）コルセット本体に係止部材を着脱自在に取り付け、当該係止部材に動物の後ろ足を持ち上げるための吊り具を取り付けることができ、当該吊り具を牽引することにより動物の胴体にしっかり固定されたコルセット本体を介して動物の後ろ足を持ち上げて主として前足のみで歩行させることができる。本コルセットを装着しなければならないような症状を発症した動物には往々にして後ろ足に障害が出ることが多いので、吊り具で牽引することにより動物の歩行を助けることができる。
（２３）前足受入れ部を分断部で分断し、コルセット本体をおおよそ動物に装着した後に分断部をコルセット本体又は分断部の他端に係合することができ、この操作により、本動物用コルセットの装着を嫌がる動物に対して容易に装着することができる。
（２４）コルセット本体とは別部品からなる骨盤締付部を分断部で分断し、コルセット本体をおおよそ動物に装着した後に分断部をコルセット本体又は分断部の他端に係合することができ、この操作により、本動物用コルセットの装着を嫌がる動物に対して容易に装着することができる。
（２５）シート部材のうち動物の少なくとも腹部付近に相当する部分に形成された起毛部に、隣接する他のシート部材の側縁部に形成された係合部を係脱自在に係合し、起毛部と係合部との係合位置を調整することにより隣接するシート部材の重なり合い代を調整してコルセット本体の巻寸法を調整することができる。
（２６）腹部覆い部材及び背部覆い部材の隣接する端部付近に形成された係合構造の係合位置を調整することにより隣接する腹部覆い部材と背部覆い部材との重なり合い代を調整してコルセット本体の巻寸法を調整することができる。
（２７）ベルト状の一のベルト部材の両端付近をコルセット本体に着脱自在又は固定的に取り付け、一のベルト部材のほぼ中間部付近にベルト状の他のベルト部材の一端を固定的又は着脱自在に連結し、その他端をコルセット本体に固定的又は着脱自在に取り付けて前足を受け入れさせる前足受入れ部材が形成でき、一又は他のベルト部材の分断部で分断した状態で動物に装着することができる。
（２８）前記一又他のベルト部材の途中に形成された調整機構を操作して、これらのベルト部材により形成される前足を受入れさせる部分の開口寸法を調整することができる。
【発明を実施するための最良の形態】
【００１６】
以下に、図面を参照して本発明の実施の形態に係る動物用コルセットについて説明する。
【００１７】
図１〜図４に基づいて、本発明の実施の一形態に係る動物用コルセットについて説明する。本動物用コルセットは主として犬に装着して使用されるものである。使用例としては、例えば椎間板ヘルニアを患った犬に使用する場合が考えられ、更に椎間板ヘルニアになりそうな犬に予防的に使用したり、椎間板ヘルニアの手術後に骨が安定するまでの約８週間に使用するものである。
【００１８】
本動物用コルセットは、動物の腹部、背部、骨盤部をほぼ覆って筒状にされるシート状のコルセット本体１を備え、コルセット本体１には、隣接させられる各両端部１ａ，１ｂを着脱自在に連結する連結部２が形成され、動物の前足を受け入れる前足受入れ部３が形成され、動物に装着した場合に動物の背骨に沿うようにほぼ前端部から後端部に至って矯正用心材４が配置されて概略構成される。
【００１９】
コルセット本体は、通気性を考慮してレース編み地（メッシュ地）の裁断面に縁取りテープ（バイアステープ）を縫い付けて縫製がなされて全体がほぼ左右対称に形成される。矯正用心材４はプラスチックなどの剛性を有する材料からなり、複数本（図１では４本）からなり、少なくとも胸椎、腰椎、骨盤を挟むように所定の間隔を隔てて配置される。矯正用心材４はレース編地の表面に配置され表面から布地からなるカバー用の帯状部材により被覆して帯状部材をレース編み地に縫い付けることによりコルセット本体１に固定されている。コルセット本体１の両端部１ａ，１ｂには、他の矯正用心材４が端部のレース編み地（メッシュ地）を折り返して袋状にした部分に挿入されて縫製により固定されている。
【００２０】
連結部２は、コルセット本体１の両端部付近に沿って複数箇所（図では４箇所）設けられ、コルセット本体１から側方に向けて突出して配置され表面にマジックテープ（登録商標）が設けられた帯状部材２ａと、この帯状部材２ａが挿入される環状部材をコルセット本体１に縫製したホルダー部材２ｂとから構成されている。連結部２としては、両端部を着脱自在に連結することができるものであれば、これ以外の手段、例えば、ホック、ボタン、紐による編み上げなどを採用することができる。
【００２１】
前足受入れ部３は、コルセット本体１に動物の前足が挿入される２個の前足穴３ａを貫通して形成してコルセット本体１に一体的に形成されている。この前足穴３ａは装着した場合に動物の脇付近が傷つかないように動物の前足の付け根の太さよりも大きな寸法に設定してある。前足穴３ａを形成した前足受入れ部材をコルセット本体１とは別体で形成して両者を着脱自在又は縫製などの手段により一体的に連結するようにしたものであってもよい。
【００２２】
コルセット本体１を動物に装着した場合に動物の腹部から骨盤部付近に至る部分に、動物の陰部付近との接触を避ける凹円弧部１ｃが形成されている。
【００２３】
動物の骨盤部付近に対応する位置には、骨盤締付部材７が着脱自在に取り付けられており、この骨盤締付部材７には動物の後ろ足が挿入される２つの後ろ足穴７ａが形成されている。骨盤締付部材７の縁部には、図３に示すように、マジックテープ（登録商標）７ｂが縫製により一体に固定されており、コルセット本体１の後部には当該マジックテープ（登録商標）７ｂが係合するマジックテープ（登録商標）７ｃが縫製により一体に固定されている。これらのマジックテープ（登録商標）７ｂ，７ｃの係合により骨盤締付部材７がコルセット本体１の後部に着脱自在に取り付けられる。骨盤締付部材７はコルセット本体１を形作るレース編み地よりも柔らかく肌触りの良い材質、例えば表地を起毛したような材料、例えばネオプレーン（登録商標）として販売されているものを採用することが好ましい。ネオプレーン（登録商標）は表裏布でウレタンフォームなどの発泡体をサンドイッチした柔軟構造をなしたものである。ネオプレーン（登録商標）を使用した場合には、表面が起毛してあるのでマジックテープ（登録商標）７ｂを設けなくてもマジックテープ（登録商標）７ｃが係合でき、マジックテープ（登録商標）７ｂを省略することができる。また、マジックテープ（登録商標）７ｂを必要としないで任意の位置にマジックテープ（登録商標）７ｃを係止できるので、骨盤締付部材４の取り付け位置を微調整することができる。
【００２４】
コルセット本体１を装着した際に動物の骨盤部付近に対応する位置に動物の後ろ足を持ち上げるための吊り具Ｂ（図４参照）を取り付けるための係止部６が設けられている。係止部６は、連結部２と同様な構造をしており、コルセット本体１から側方に向けて突出して配置され表面にマジックテープ（登録商標）が設けられた帯状部材６ａと、この帯状部材６ａが挿入される環状の部材をコルセット本体１に縫製したホルダー部材６ｂとから構成されている。係止部６についても、上述以外の手段、例えば、ホック、ボタン、紐などを採用することができる。
【００２５】
さらに、前記前足穴３ａよりも前方において動物の首部の形状にコルセット本体１の前部がフィットするように、コルセット本体１の前部が立体的形状に裁断されており、裁断面を両側から付き合わせて表面から帯状部材１ｄをあてがって縫製してある。
【００２６】
次に、本実施の一形態に係る動物用コルセットの使用方法及び作用について説明する。
【００２７】
まず、図４に示すように、コルセット本体１に形成された前足受入れ部３の前足穴３ａに動物Ｄの前足を受け入れさせ、コルセット本体１を動物Ｄの腹部、背部、骨盤部をほぼ覆うように筒状に配置し、動物Ｄの背側で連結部２により着脱自在に連結して、矯正用心材４を動物Ｄの背骨に沿って配置する。骨盤締付部材７をコルセット本体２の後部に着脱自在に取り付け、骨盤締付部材７の後ろ足穴７ａに動物の後ろ足を挿入する。このような簡単な操作で、コルセット本体１を動物Ｄに容易かつ確実に装着することができる。
【００２８】
左右２本ずつの矯正用心材４が動物の背骨に沿って配置され、動物Ｄの胸椎、腰椎、骨盤の動きの制限や歪みの矯正を効果的に行うことができる。矯正用心材４を少なくとも骨盤を挟んで前後に設けることにより、体を前後に曲げた場合のみならず、左右に傾けた場合でも、矯正用芯材４によって胸部、腰部、骨盤部の動きを安定的に制限することができる。
【００２９】
コルセット本体１は、その前縁部の背中側が少なくとも動物Ｄの首の付け根より尾側方向に位置し、コルセット本体１の後縁部の背中側が少なくとも尾尻の付け根より頭側方向に位置するので、首の付け根と尾尻の付け根においてコルセット本体１と動物の皮膚とが擦れて傷を創ることが抑制される。
【００３０】
前足受け入れ部３が前足挿入穴３ａをコルセット本体１に一体的に形成したものなので、コルセット本体１を動物Ｄに装着する場合に装着作業が容易になる。一体の前足受入れ部３としているので、動物Ｄがコルセット本体１を排除しようと動作した場合でもコルセット本体１がずれたり外れたりすることが防止できる。また、コルセット本体１に設けられた前足穴３ａ及び骨盤締付部材７に形成された後ろ足穴７ａに動物Ｄの四肢を通し、コルセット本体１の左右両側端を互いに連結部２で動物の背部で連結すれば、前足穴３ａおよび後ろ足穴７ａが四肢の付け根に引っ掛かって胴体から前後左右にずれる心配がなく、動物Ｄがコルセット本体１の装着を嫌がって脱ぐことを試みても、背中側に連結部２があるので、四肢が届かずに脱ぐことができず、コルセットの装着を長時間持続することができる。
【００３１】
コルセット本体部１に形成された凹円弧部１ｃにより動物Ｄの腹部から骨盤部付近に至る部分とコルセット本体１との接触を避けることができ、コルセット本体により当該部分を傷つけることなどを防止でき、さらに尿がコルセット本体にかかり不衛生になることを防止できる。
【００３２】
骨盤締付部材７をコルセット本体１に取り付け、骨盤締付部材７の後ろ足穴７ａに動物の後ろ足を挿入することにより、コルセット本体１を確実に動物Ｄに装着することができる。これにより、骨盤締付部材７により動物Ｄの骨盤部を安定してサポートすることができ、骨盤部の変形の制限や矯正を行うことができる。
【００３３】
さらに、骨盤締付部材７をコルセット本体１よりも肌触りの良い柔らかい材料により形成すれば、動物Ｄの後ろ足の付け根付近の敏感な部分に配置しても、肌荒れや擦り傷の発生が少なくなる。
【００３４】
コルセット本体１、連結部２、矯正用心材４などに布地やプラスチックなどの合成樹脂などを使用すれば、Ｘ線撮影やＭＲＩやＣＴなどの際にハレーションなどの障害を生じさせることがない。
【００３５】
コルセット本体に形成された係止部６に動物の後ろ足を持ち上げるための吊り具Ｂを取り付け、吊り具Ｂを牽引することにより動物Ｄに装着されたコルセット本体１を介して動物の後ろ足を持ち上げて主として前足で歩行させることで、後ろ足に障害が出た動物の歩行を助けることができる。
【００３６】
次に、図５〜図８に基づいて、本発明の実施の他の形態に係る動物用コルセットについて説明する。なお、図１〜図４に示した実施の形態に係る動物用コルセットと同一の構成要素には同一符号を付して説明を省略する
【００３７】
本動物用コルセットは、図５に示すように、コルセット本体１１が左右に分離された少なくとも２枚のシート部材１１ｅを備え、隣接するシート部材１１ｅには両シート部材１１ｅを連結する連結部１８が形成されている。連結部１８は、コルセット本体１１のシート部材１１ｅの隣接する縁部に複数設けた貫通孔１８ａに紐１８ｂを編み上げ式に配置したものである。この編み上げ式構造の連結部１８の紐１８ｂの締め具合で、隣接するシート部材の重なり合い代が調整できる。
【００３８】
本動物用コルセットでは、左右に分離された２枚のシート部材１１ｅが連結部１８により連結され、これらのシート部材１１ｅの重なり合い代が調整自在になっているので、コルセット本体１１の両端部に形成した連結部２によるコルセット本体１１の巻寸法の調整に加えて、シート部材１１ｅに形成された連結部１８による重なり合い代の調整によりコルセット本体１１の巻寸法を微調整することができる。したがって、動物Ｄの体型などによりコルセット本体１１の両端部の連結部２による調整量が目一杯になっても、連結部１８による調整を行うことができ、一つのコルセット本体１１で対応できる動物Ｄの体型などの幅が大きくなり、少ない種類のコルセット本体１１でまかなうことができる。
【００３９】
次に、図９〜図１２に基づいて、本発明の実施の更に他の形態に係る動物用コルセットについて説明する。なお、図１〜図４又は図５〜図８に示した実施の形態に係る動物用コルセットと同一の構成要素には同一符号を付して説明を省略する。
【００４０】
本動物用コルセットは、隣接するシート部材１１ｅの一方に各シート部材１１ｅ間に形成される隙間を覆うための腹部覆い部材１９が設けられている。さらに、コルセット本体１１の隣接する両端部の一方の近傍には、コルセット本体１１を動物に装着した際に隣接する両端部間に形成される隙間を覆うための背部覆い部材２０が設けられている。
【００４１】
本動物用コルセットでは、コルセット本体１１を動物に装着する場合に、動物の体型などに合わせて２枚のシート部材１１ｅの重なり合い代を調整した際にシート部材１１ｅ間に隙間が形成された場合においては、シート部材１１ｅに形成された腹部覆い部材１９によりこの隙間を覆うことができる。また、コルセット本体１１の隣接する両端部付近の連結部２を調整した場合に、両端部間に隙間が形成された場合においては、両端部近傍に形成された背部覆い部材１９により背部に形成された隙間を覆うことができる。
【００４２】
次に、図１３〜図２３に基づいて本発明の実施の更に他の形態に係る動物用コルセットについて説明する。
【００４３】
本動物用コルセットは、動物の腹部、背部、骨盤部をほぼ覆って筒状にされ、一表面に起毛された起毛部３１ｅが形成されたシート部材からなるコルセット本体３１と、コルセット本体３１を筒状にした際に隣接させられた両端部を着脱自在に連結する連結部材３２と、動物の前足を受け入れさせる部分を形成する前足受入れ部材３３と、コルセット本体３１を動物に装着した場合に動物の背骨に沿うようにコルセット本体３１のほぼ前端部から後端部に至って配置される矯正用心材部材３４とをコルセット本体３１とは別部品にて形成してあり、コルセット本体３１の起毛部３１ｅとの係合により連結部材３２、前足受入れ部材３３及び矯正用心材部材３４をコルセット本体３１に取り付けるための係合部材３２ａ，３２ｂ，３３ａ，３３ｂ，３４ａが、連結部材３２、前足受入れ部材及３３及び矯正用心材部材３４に一体的に設けられている。なお、前足受入れ部材３３を取り付けなくてもコルセットとして機能させることはできる。
【００４４】
上記コルセット本体３１を形成するシート部材としては、例えばウレタンフォームなどからなる発泡シートの表面に起毛部３１ｅが形成された起毛地を、裏面に裏地を、それぞれ貼り付けなどにより一体化した柔軟構造のもの（例えばネオプレーン（登録商標））が採用される。このシート部材は、シート部材をハサミなどの手工具により切断することができ、しかも切断した面にほつれなどが生じない点に特徴がある。シート部材としては、自由に手工具で切断でき、ほつれやほころびが生じにくい材料であれば、上記構造のものに限られない。
【００４５】
また、本動物用コルセットでは、動物の後ろ足を受け入れさせる部分を形成する後ろ足受入れ部材３７もコルセット本体３１とは別部品にて形成してあり、コルセット本体３１の起毛部３１ｅに着脱自在に係合しコルセット本体３１の起毛部３１ｅとの係合により後ろ足受入れ部材３７をコルセット本体３１に取り付けるための係合部材３７ａ，３７ｂが、後ろ足受入れ部材３８に設けられている。なお、後ろ足受入れ部材３７は上述の実施の形態の骨盤締付部材と同様な機能を有する。
【００４６】
係合部材３２ａ，３２ｂ，３３ａ，３３ｂ，３７ａ，３７ｂは、マジックテープ（登録商標）のような面ファスナーからなり、連結部材３２、前足受入れ部材３３、後ろ足受入れ部材３７に縫製により固定されている。連結部材３２、前足受入れ部材３３又は後ろ足受入れ部材３７に形成した係合部材３２ａ，３３ａ，３７ａは、連結部材３２、前足受入れ部材３３又は後ろ足受入れ部材３７をコルセット本体３１の起毛部３１ｅに容易に離脱しないようにほぼ固定的に強力に係合する強力係合部を形成するものである。係合部材３２ｂ，３３ｂ，３７ｂは、強力係合部によりコルセット本体３１の起毛部３１ｅに係合させられた連結部材３２、前足受入れ部材３３又は後ろ足受入れ部材３７の先端部付近に形成されたもので、先端部付近をコルセット本体３１の起毛部３１ｅに容易に離脱できるように着脱自在に比較的軽強度で係合する軽強度係合部を形成するものである。強力係合部としてはマッシュルーム形状の係合鉤を多数形成したものが採用され、軽強度係合部としてはフック（ループ）状の係合鉤を多数形成したものが採用される（図１９参照）。
【００４７】
本動物用コルセットでは、コルセット本体３１は動物の胴体に沿って配置できるようにシート部材を立体裁断して立体的に縫製されている。ここで、シート部材の縫製は、図１８（ａ）に示すように、コルセット本体３１を形成するシート部材の隣接部分に千鳥縫いを施すことにより千鳥縫い部分３１ａを形成し、次いで、図１８（ｂ）に示すように、その千鳥縫い部分３１ａに直線縫いを返し縫いにより施すことにより行われる。図では、直線縫い部分３１ｂを約３ｃｍ施したら逆方向に約２ｃｍ直線縫いで返し縫いを行う返し縫い部分３１ｃを形成した後再び順方向に直線縫いを行うという操作を繰り返して行っている。
【００４８】
本動物用コルセットでは、図１９に示すように、矯正用心材部材３４は袋状部材内に心材となるプラスチックなどからなる骨材３４ｄを収納して形成されている。袋状部材は、係合部を外面に向けて配置した係止部材３４ａと、係合部を内面に向けて配置した係合材料３４ｂとを両面テープにより接着し、この係合材料３４ｂの上に両面に起毛部３１ｅが形成された起毛材料３４ｃを重ね合わせ、その周縁部を直線縫いでかつ返し縫いで袋状に縫製したものである。これにより、袋状部材の外面一面に形成された係合部材３４ａ（強力係合部）により、矯正用心材部材３４をコルセット本体３１の起毛部３１ｅに容易に離脱しないようにほぼ固定的に強力に係合する。なお、上述の例では係止部材３４ａと係合材料３４ｂとが別部品にて形成して接着するようにしているが、係止部材３４ａと係合材料３４ｂとを一体成形の部品にて形成するようにしてもよい。
【００４９】
本動物用コルセットでは、コルセット本体３１を動物に装着した場合に動物の腹部から骨盤部付近に至る部分には、動物の陰部付近との接触を避ける凹円弧部３１ｄが形成されている。
【００５０】
なお、図２１及び図２２に示すように、本動物用コルセットでは、連結部材４２、前足受入れ部材４３又は後ろ足受入れ部材４７を、これらとは別部品とした係合部材４８によりコルセット本体３１に取り付けるようにしたものである。係合部材４８は、図２１に示すように、円形のボタン形状をしており、その一面にはコルセット本体３１の起毛部３１ｅに係合する係合部４８ａが形成され、他面には前足受入れ部材４２などに係合する係合部４８ｂが形成されている。係合部材４８は、図２２に示すように、コルセット本体３１の起毛部３１ｅと前足受入れ部材４２などとの間に介挿される。
【００５１】
上記係合部４８ａは、コルセット本体３１の起毛部３１ｅ又は連結部材４３、前足受入れ部材４２又は後ろ足受入れ部材４７のいずれかに容易に離脱しないようにほぼ固定的に強力に係合する強力係合部となっており、他の係合部４８ｂは、コルセット本体３１の起毛部３１ｅ又は連結部材４３、前足受入れ部材４２又は後ろ足受入れ部材４７のいずれかに容易に離脱できるように比較的軽強度で係合する軽強度係合部となっている。
【００５２】
次に、本実施の形態に係る動物用コルセットの使用方法及び作用について説明する。
【００５３】
図１４及び図１５に示すように、連結部材３２、前足受入れ部材３３、後ろ足受入れ部材３７及び矯正用心材部材３４を、係合部材３２ａ，３３ａ，３７ａ，３４ａをコルセット本体３１の起毛部３１ｅに係合させることにより、コルセット本体３１に取り付ける。連結部材３２はコルセット本体３１の縁部に取り付けられ、前足受入れ部材３３はコルセット本体３１の前部に取り付けられ、後ろ足受入れ部材３７はコルセット本体３１の後部に取り付けられる。矯正用心材部材３４は、動物の脊柱に沿うようにコルセット本体３１の前部から後部に沿って配置されるように取り付けられ、コルセット本体３１における固定位置や取付個数を変えることにより動物用コルセット自体に持たせる強度などの機能を調整することができる。
【００５４】
次に、図２３に示すようにコルセット本体３１を動物の胴体に沿わせて配置し、前足受入れ部材３３を前足の周りを取り囲むように回してコルセット本体３１の起毛部３１ｅに係合部材３３ｂを係合させ、後ろ足受入れ部材３７を後ろ足の周りを取り囲むように回してコルセット本体３１の起毛部３１ｅに係合部材３７ｂを係合させる（図１６及び図１７参照）。この操作に先立って又はこの後、連結部材３２の係合部材３２ｂをコルセット本体３１の起毛部３１ｅに係合させる。これにより、コルセット本体３１の装着が完了する。
【００５５】
連結部材３２、前足受入れ部材３３、後ろ足受入れ部材３７に形成された係合部材３２ｂ，３３ｂ，３７ｂがコルセット本体３１の起毛部３１ｅに係合する位置を微調整して移動させ、コルセット本体３１を、ゆるみ無く、かつ、きつくない適度の緊張感を持たせて動物に装着させる。係合部材３２ｂ，３３ｂ，３７ｂは軽強度係合部であるので離脱が容易で微調整には便利である。
【００５６】
コルセット本体３１は、表面に起毛部３１ｅが形成されたシート部材から形成されているので、動物の体格に合わせてハサミなどの手工具によりコルセット本体３１を切断して寸法を調整することができる。矯正用心材部材３４の骨材３４ｄはニッパなどの手工具により切断することができる。シート部材を不織布により形成すれば、ハサミなどの手工具により切断してもシート部材にほころびが生ずることがない。連結部材３２や前足受入れ部材３３や矯正用心材部材３４などは別部品であるので、これらを寸法が調整されたコルセット本体３１の適宜の位置に係合させることができ、動物用コルセットの本来の機能を持たせることができる。
【００５７】
本動物用コルセットでは動物毎にオーダーメードに作成するのではなくて、おおよその大きさに工場で製造されたコルセット本体３１を、装着する動物病院などにおいて適切な寸法に切断して調整を行うようにしたので、所定の規格寸法で既製品化ができ、同一規格の製品を大量に生産することができ、製造コストの低減が図られる。
【００５８】
連結部材３２、前足受入れ部材３３、後ろ足受入れ部材３７をそれぞれに形成された係合部材３２ａ，３３ａ、３７ａ（強力係合部）によりコルセット本体３１に容易に離脱できないほぼ固定状態で係合させることができ、連結部材３２や前足受入れ部材３３などがコルセット本体３１から離脱してしまうことが抑制できる。一方で、連結部材３２や前足受入れ部材３３などの先端付近は係合部材３２ｂ，３３ｂ，３７ｂ（軽強度係合部）によりコルセット本体３１に容易に離脱できる比較的軽強度で係合させることができ、コルセット本体３１を動物に装着した場合に連結部材３２や前足受入れ部材３３などの先端部位置を容易に変えて、コルセット本体３１の動物の胴体への装着状態を微調整することができる。
【００５９】
コルセット本体３１を形作るシート部材が立体裁断され立体的に縫製されているので、動物の胴体にフィットさせることができ、矯正などの目的や機能を有効に果たさせることができる。しかも、シート部材の縫製がシート部材の隣接する部分に千鳥縫いが施され、その千鳥縫い部分に直線縫いが返し縫いにより施されているので、縫製された部分をハサミなどの手工具により切断しても縫製部分の糸がほつれることがない。
【００６０】
袋状部材内に骨材３４ｄを収納して矯正用心材部材３４を形成したので、骨材３４ｄが露出することが無く、骨材３４ｄが収納された袋状部材が強力係合部により強力にコルセット本体３１に固定できる。また、袋状部材の内部において内部に設けた起毛材料３４ｃと係合材料３４ｂとが係合し、骨材３４ｄの長さよりも少し長い寸法を有する袋状部材を用いて骨材３４ｄを挿入するようにすれば、入り口部において起毛材料３４ｃと係合材料３４ｂとが係合し合い入り口部分から骨材３４ｄが外に出ないように封をした状態にできる。
【００６１】
連結部材４２、前足受入れ部材４３、後ろ足受入れ部材４７とは別部材である係合部材４８を用いたものでは、係合部材４８をコルセット本体３１の適宜の位置に係合させ、係合部材４８に連結部材４２、前足受入れ部材４３、後ろ足受入れ部材４７を取り付けることができ、連結部材３２などの取付位置を柔軟に微調整することができる。
【００６２】
上記係合部材４８のどちらの面をコルセット本体３１に取り付けるかによって、係合部材４８をコルセット本体３１に強力に固定させるとともに係合部材４８に連結部材４２など軽強度で係合させる態様と、逆に係合部材４８をコルセット本体３１に軽強度で係合させるとともに係合部材４８に連結部材４２などを強力に固定する態様とを選択することができる。後者のように、連結部材４２などに強力に係合させるものでは、ボタン状の係合部材４８が連結部材４２などに付いた状態になってコルセット本体３１に付いたままにならないので、操作上便利である。
【００６３】
次に、図２４に基づいて本発明の更に他の実施の形態について説明する。上記実施の形態に係る動物用コルセットと同一構成要素には同一符号を付して説明を省略する。
【００６４】
本動物用コルセットは、コルセット本体３１を形成するシート部材が左右方向に２枚に分割され、分割されたシート部材３１ｇ，３１ｈの重合部にはシート部材３１ｇ，３１ｈを相互に連結するための係合部材４９が設けられている。係合部材４９は裏面に係合材料が形成されたもので、係合材料をシート部材３１ｇ，３１ｈの境界部に係合させて、シート部材３１ｇ，３１ｈを相互に連結する。
【００６５】
分割されたシート部材３１ｇ，３１ｈの重なり合い代を調整することによりコルセット本体３１の左右方向の寸法を調整でき、装着する動物の体格などに対応することができる。
【００６６】
次に、図２２に基づいて本発明の更に他の実施の形態について説明する。上記実施の形態に係る動物用コルセットと同一構成要素には同一符号を付して説明を省略する。
【００６７】
本動物用コルセットは、コルセット本体３１を形成するシート部材が左右方向に３枚に分割され、分割されたシート部材３１ｊ，３１ｋ，３１ｍの重合部にはシート部材３１ｊ，３１ｋ，３１ｍを相互に連結するための係合部材５０が設けられている。係合部材５０は裏面に係合材料が形成されたもので、係合材料をシート部材３１ｊ及び３１ｋの境界部、シート部材３１ｋ，３１ｍの境界部に係合させて、分割されたシート部材３１ｊ，３１ｋ，３１ｍを相互に連結する。
【００６８】
このものでは、分割されたシート部材３１ｊ，３１ｋ，３１ｍの重なり合い代を調整することによりコルセット本体３１の左右方向の寸法を調整でき、装着する動物の体格などに対応することができる。
【００６９】
次に、図２６に基づいて本発明の更に他の実施の形態について説明する。上記実施の形態に係る動物用コルセットと同一構成要素には同一符号を付して説明を省略する。
【００７０】
本動物用コルセットでは、動物Ｄの後ろ足を持ち上げるための吊り具Ｂが取り付けられる係止部材３６をコルセット本体３１とは別部品にて形成し、コルセット本体３１の起毛部３１ｅに着脱自在に係合しコルセット本体３１の起毛部３１ｅとの係合により係止部材３６をコルセット本体３１の骨盤部付近に対応する位置に取り付けるための係合部材３６ａが係止部材３６自体に設けられている。なお、係合部材３６ａを前述の強力係合部とすればコルセット本体に強力に係合させることができ、コルセット本体３１に取り付けられた係止部材３６に動物の後ろ足を持ち上げるための吊り具Ｂを取り付けることができ、当該吊り具Ｂを牽引することにより動物の胴体にしっかり固定されたコルセット本体３１を介して動物の後ろ足を持ち上げて主として前足のみで歩行させることができる。本コルセットを装着しなければならないような症状を発症した動物には往々にして後ろ足に障害が出ることが多いので、吊り具で牽引することにより動物の歩行を助けることができる。また、本動物用コルセットではコルセット本体３１が腰椎から骨盤までを広く覆っているので、吊り具Ｂにより牽引した場合にも脊椎への負担が少ない。
【００７１】
次に、図２７に基づいて本発明の更に他の実施の形態について説明する。上記実施の形態に係る動物用コルセットと同一構成要素には同一符号を付して説明を省略する。
【００７２】
本動物用コルセットでは、図１３などで示した前足受入れ部材３３の代わりに、前足には絡みつかないで首部付近にのみ巻き付く首部受入れ部材５３を設けたものである。首部受入れ部材５３はベルト状形状をしており、両端部付近にはコルセット本体３１の起毛部３１ｅに係合する係合部材５３ａが設けられている。首部受入れ部材５３の一端に設けた係合部材５３ａを前述の強力係合部とし、他端に設けた係合部材５３ａを前述の軽強度係合部とすることにより、強力係合部である係合部材５３ａをコルセット本体３１にほぼ固定的に取り付け、軽強度係合部である係合部材５３ａをコルセット本体３１に位置調整可能に取り付けることができる。
【００７３】
次に、図２８及び図２９に基づいて、本発明の更に他の実施の形態に係る動物用コルセットについて説明する。上記実施の形態に係る動物用コルセットと同一の構成要素には同一符号を付して説明を省略する。
【００７４】
本動物用コルセットでは、前述の実施の形態と同様に、コルセット本体６１は、左右にほぼ分離された少なくとも２枚のシート部材６１ａ，６１ｂからなり、隣接するシート部材６１ａ，６１ｂの側縁部付近には両シート部材６１ａ，６１ｂを連結する連結部である帯状部材２ａ及びホルダー部材２ｂが形成され、この連結部によって隣接するシート部材６１ａ，６１ｂの重なり合い代が調整自在となっている。
【００７５】
シート部材６１ａ，６１ｂのうち動物Ｄの少なくとも腹部付近に相当する部分（シート部材６１ｂの側縁部）には、図２９に示すように、例えばネオプレーン（登録商標）などのような少なくとも一面に起毛部が形成されたほぼ方形状の起毛部材６１ｅが取り付けられている。隣接する他のシート部材６１ａの端部には起毛部材６１ｅの起毛部に係脱自在に係合する例えばマジックテープ（登録商標）などからなる係合部６１ｆが形成されている。この係合部は複数個（図では４個）に分割されている。なお、起毛部材６１ｅの起毛部及び係合部６１ｆは本発明の連結部を構成し、起毛部材６１ｅの起毛部と係合部６１ｆとの係合位置を調整すれば隣接するシート部材６１ａ，６１ｂの重なり合い代が調整自在となっている。
【００７６】
シート部材６１ａ，６１ｂにはそれぞれ前足受入れ部６３が一体に形成されている。前足受入れ部６３にはその周方向の途中で分断された分断部６３ａが形成され、この分断部６３ａ及びコルセット本体６１（分断部６３ａの他端でもある。）には相互に係脱自在に係合する係合構造、例えばマジックテープ（登録商標）などからなる係合部６３ｂ及び起毛部６３ｃが形成されている。
【００７７】
コルセット本体６１においても、前述の実施の形態と同様に、動物Ｄの骨盤部付近に対応する位置には、動物Ｄの後ろ足が挿入される後ろ足穴６７ａが形成された骨盤締付部材６７が着脱自在に取り付けられる。
【００７８】
本動物用コルセットでは、骨盤締付部材６７はネオプレーン（登録商標）などのような少なくとも一面が起毛された材料が使用され、骨盤締付部材６７にはその周方向の途中で分断された分断部６７ｂ，６７ｃが形成されている。コルセット本体６１の分断部６７ｂ，６７ｃに対応する部分には縫製などの方法によりマジックテープ（登録商標）などの係合部（図示せず）が取り付けられている。骨盤締付部材６７の分断部６７ｂ，６７ｃの起毛部を係合部に係合させることにより、後ろ足が受け入れられる後ろ足穴６７ａが形成される。骨盤締付部材６７の起毛部及び係合部は本発明の係合構造を構成する。
【００７９】
本動物用コルセットでは、前述の実施の形態と同様に、コルセット本体６１のうちシート部材６１ａの側縁部付近には、コルセット本体６１を動物Ｄに装着した際に隣接するコルセット本体６１の両端部間に形成される隙間を覆うための背部覆い部材２０が設けられている。
【００８０】
次に、図３０を参照して、本実施の更に他の形態に係る動物用コルセットの使用方法および作用について説明する。
【００８１】
前足受入れ部６３の分断部６３ａ及び骨盤締付部材６７の分断部６７ｂ，６７ｃの少なくとも一方が分断された状態にする。シート部材６１ｂの端部に形成された起毛部材６１ｅの起毛部にシート部材６１ａの端部付近に形成された係合部６１ｆを係脱自在に係合させて、シート部材６１ａ，６１ｂを一体化させてコルセット本体６１を形成する。
【００８２】
そして、コルセット本体６１を動物Ｄの腹側から包み込むように装着して、背側において帯状部材２ａをホルダー部材２ｂに通して連結して動物Ｄに装着する。このようにコルセット本体６１を動物Ｄの胴体におおよそ装着する。
【００８３】
さらに、前足受入れ部６３の分断部６３ａに形成された係合部６３ｂをコルセット本体６１に形成された係合部６３ｃに係合させ、動物Ｄの足の付け根を取り巻くように前足受入れ部６３を配置されるように前足に装着する。分断部６３を動物Ｄの前足の後ろ側から回して前側で係合させて装着できるので、動物用コルセットの装着を嫌がる動物Ｄに対して容易に装着できる。
【００８４】
コルセット本体６１とは別部品として形成された骨盤締付部材６７の分断部６７ｂ，６７ｃをコルセット本体６１に形成された係合部に係合させて、骨盤締付部材６７を後ろ足の付け根を取り巻くように取り付ける。前足受入れ部６３の場合と同様に、分断部６７ｂ，６７ｃを動物Ｄの前足の後ろ側又は前側から装着できるので、動物用コルセットの装着を嫌がる動物Ｄに対して容易に装着できる。
【００８５】
このように、後ろ足穴６７ａが形成された骨盤締付部材６７がコルセット本体６１に着脱自在に取り付けられ、骨盤締付部材６７の後ろ足穴６７ａに動物Ｄの後ろ足が挿入されることによりコルセット本体６１が確実に動物Ｄに装着され、骨盤締付部材６７により動物Ｄの骨盤部を安定してサポートでき、骨盤部の変形の制限や矯正が行える。
【００８６】
コルセット本体６１を動物Ｄに装着する場合に、動物Ｄの体型に合わせてコルセット本体６１の隣接する両端部付近に形成した連結部である帯状部材２ａ及びホルダー部材２ｂにより巻寸法を調整した場合に、この両端部間に隙間が形成されることがあるが、両端部近傍に設けられた背部覆い部材２０により背部付近に形成された隙間を覆うことができる。
【００８７】
左右にほぼ分離された２枚のシート部材６１ａ，６１ｂが連結部である起毛部材６１ｅ及び係合部６１ｆにより連結され、この部分においてシート部材６１ａ，６１ｂの重なり合い代が調整自在となっており、コルセット本体６１の両端部の連結部である帯状部材２ａ及びホルダー部材２ｂによるコルセット本体６１の巻寸法の調整に加えて、シート部材６１ａ，６１ｂに形成された起毛部材６１ｅの起毛部と係合部６１ｆとの係合位置を調整することにより重なり合い代を調整してコルセット本体６１の巻寸法が調整できる。
【００８８】
次に、図３１及び図３２に基づいて、本発明の更に他の実施の形態に係る動物用コルセットについて説明する。上記実施の形態に係る動物用コルセットと同一の構成要素には同一符号を付して説明を省略する。
【００８９】
本動物用コルセットでは、コルセット本体を形成するシート部材を動物Ｄの腹部側を覆う腹部覆い部材７１ａ及び動物Ｄの背部側を覆う背部覆い部材７１ｂから構成している。腹部覆い部材７１ａ及び背部覆い部材７１ｂの隣接する端部付近には相互に係脱自在に係合する係合構造が形成されている。
【００９０】
この係合構造は、背部覆い部材７１ｂの両側縁部付近に設けられたネオプレーン（登録商標）などからなる起毛部７１ｃ，７１ｄ及びマジックテープ（登録商標）などからなる係合部７１ｅと、腹部覆い部材７１ａの両側縁部付近に形成されたマジックテープ（登録商標）などからなる係合部７１ｆ，７１ｇ及びネオプレーン（登録商標）などからなる骨盤締付部材６７の起毛部とから構成されている。なお、図において、腹覆い部材７１ｂのネオプレーン（登録商標）に代えて、相手側のマジックテープ（登録商標）と係合するマジックテープ（登録商標）を縫製などの方法により形成するようにしてもよい。
【００９１】
これらの係合構造のうちの起毛部７１ｄと係合部７１ｇとの係合位置を調整することにより隣接する腹部覆い部材７１ａと背部覆い部材７１ｂとの重なり合い代が調整自在となっている。また、係合構造のうちの起毛部７１ｃと係合部７１ｆとの係合により前足受入れ部７１ｈが形成され、これらの係合位置を調整することにより装着する動物Ｄの前足の太さ寸法に合わせて調整自在となっている。さらに、係合構造のうちの係合部７１ｅと骨盤締付部材６７の起毛部との係合により後ろ足が受入れられる部分が形成され、これらの係合部と起毛部との重合位置を調整することにより装着する動物Ｄの後ろ足の太さ寸法に合わせて調整自在となっている。
【００９２】
図３３を参照して、本実施の更に他の形態に係る動物用コルセットの使用方法および作用について説明する。
【００９３】
まず、腹部覆い部材７１ａの片方の側縁部付近に形成された係合部７１ｇを背部覆い部材７１ｂの片側の側縁部に形成された起毛部７１ｄに係合させて、腹部覆い部材７１ａと背部覆い部材７１ｂとを一体化させてコルセット本体を形成する。
【００９４】
そして、一体化された腹部覆い部材７１ａ及び背部覆い部材７１ｂを動物Ｄの側方から包み込むように装着し、腹部覆い部材７１ａの側縁部付近に形成された係合部７１ｇを背部覆い部材７１ｂの側縁部に形成された起毛部７１ｄに係合させ、腹部覆い部材７１ａ及び背部覆い部材７１ｂを筒状として動物Ｄの胴体に装着する。
【００９５】
なお、腹部覆い部材７１ａ及び背部覆い部材７１ａを動物Ｄに装着する別の方法としては、腹部覆い部材７１ａと背部覆い部材７１ｂとを一体化せずに、例えば背部覆い部材７１ｂを動物Ｄの背部に載せてから腹側に腹部覆い部材７１ａを配置して起毛部７１ｄと係合部７１ｇとを係合させて筒状として動物Ｄの胴体に装着するようにしてもよい。
【００９６】
このように腹部覆い部材７１ａ及び背部覆い部材７１ｂを動物Ｄの胴体におおよそ装着した後に、前足受入れ部７１ｈの先端に形成された係合部７１ｆを背部覆い部材７１ｂに形成された起毛部７１ｃに係合させ、動物Ｄの足の付け根を取り巻くように前足受入れ部７１ｈを配置して前足に装着する。係止部７１ｆを起毛部７１ｃに係合させるべく動物Ｄの前足の後ろ側から前側に回した後に装着できるので、動物用コルセットの装着を嫌がる動物Ｄに対して容易に装着できる。
【００９７】
腹部覆い部材７１ａ及び背部覆い部材７１ｂとは別部品とされた骨盤締付部材６７をその分断部６７ｂ，６７ｃを背部覆い部材７１ｂに形成された係合部７１ｅに係合させて、骨盤締付部材６７を後ろ足の付け根を取り巻くように取り付ける。前足受入れ部７１ｈの場合と同様に、分断部６７ｂ，６７ｃを動物Ｄの前足の後ろ側又は前側から装着できるので、動物用コルセットの装着を嫌がる動物Ｄに対して容易に装着できる。
【００９８】
本実施の形態においても、コルセット本体を動物Ｄに装着する場合に、動物Ｄの体型に合わせてコルセット本体の隣接する両端部付近の連結部である帯状部材２ａ及びホルダー部材２ｂを調整した場合に、これらの両端部間に隙間が形成されることがあるが、両端部近傍に形成された背部覆い部材２０により背部に形成された隙間を覆うことができる。
【００９９】
特に、本動物用コルセットでは、腹部及び背部に対応してほぼ分離された２枚の腹部覆い部材７１ａ及び背部覆い部材７１ｂを起毛部７１ｄ及び係合部７１ｇにより連結し、これらの腹部覆い部材７１ａ及び背部覆い部材７１ｂの重なり合い代が調整自在になっている。これにより、腹部覆い部材７１ａ及び背部覆い部材７１ｂに形成された起毛部７１ｄと係合部７１ｇとの係合位置を調整することにより重なり合い代が調整でき、腹部覆い部材７１ａ及び背部覆い部材７１ｂにより形成されたシート部材の巻寸法が調整できる。
【０１００】
次に、図３４及び図３５に基づいて、本発明の実施の更に他の形態に係る動物用コルセットについて説明する。上述の実施の形態と同様の構成要素には同一符号を付して説明を省略する。
【０１０１】
本動物用コルセットは、動物Ｄの腹部、背部、骨盤部をほぼ覆って筒状にされるシート状のコルセット本体８１を備え、コルセット本体８１には隣接させられる各両端部を着脱自在に連結する連結部である帯状部材２ａ及びホルダー部材２ｂが形成され、動物Ｄの前足を受け入れさせる部分を形成する前足受入れ部材８３をコルセット本体８１とは別部品にて形成し、前足受入れ部材８３はコルセット本体８１に相互に係脱自在又は固定的に係合させられる。コルセット本体８１には、動物Ｄに装着した場合に動物Ｄの背骨に沿うようにほぼ前端部から後端部に至って矯正用心材４が配置されている。
【０１０２】
コルセット本体８１は、３枚のシート部材８１ａ，８１ｂ，８１ｃをその側縁部で係脱自在に係合させて形成される。このうちシート部材８１ｃは動物Ｄの腹部側に配置され、シート部材８１ａ，８１ｂは腹部付近から背部にかけて配置されるものである。シート部材８１ｃの両側縁部付近及びシート部材８１ａ，８１ｂの隣接する側縁部付近には、相互に係脱自在に係合し合う係合部又は起毛部が形成され、これら係合部及び起毛部は本発明の連結部を構成する。
【０１０３】
前足受入れ部材８３は、ベルト状の一のベルト部材８３aと、このベルト部材８３ａのほぼ中間部に連結される他のベルト部材８３ｂとを備え、一のベルト部材８３ａの両端付近にはファスナー部材（雄部材）８３ｃが取り付けられ、他のベルト部材８３ｂは、２本のベルト部８３ｄ，８３ｅがその端部でバックル部材８３ｆを介して長さ調整自在に連結され、ベルト部８３ｄの端部は一のベルト部材８３ａのほぼ中間部に縫製などの方法により固定的に連結され、ベルト部８３ｅの一端はコルセット本体８１のシート部材８１ｃに縫製などの方法により固定的に連結されている。コルセット本体８１を形成するシート部材８１ａ，８１ｂには、一のベルト部材８３ａに取り付けられたファスナー部材８３ｃが着脱自在に係合するファスナー部材（雌部材）８３ｇが縫製などの方法で取り付けられている。なお、バックル部材８３ｆは、ベルト部材８３ａ，８３ｂにより形成される前足を受入れさせる部分の開口寸法を調整自在とするために設けたもので、本発明の調整機構を構成する。また、ファスナー部材８３ｃ，８３ｇが形成された部分は、本発明の分断部を構成する。
【０１０４】
図３６を参照して、本発明の実施の更に他の形態に係る動物用コルセットの使用方法及び作用について説明する。
【０１０５】
シート部材８１ａ，８１ｂ，８１ｃの側縁部付近に形成された係合部や起毛部を互いに係脱自在に係合させ、シート部材８１ａ，８１ｂ，８１ｃを一体化させてコルセット本体８１を形成する。他のベルト部材８３ｂのベルト部８３ｄ，８３ｅをバックル部材８３ｆを介して連結し、一のベルト部材８３ａに他のベルト部材８３ｂを連結する。一のベルト部材８３ａに形成したファスナー部８３ｃとファスナー部材８３ｇとは嵌合させない状態にしておく。なお、このバックル部材８３ｆによるベルト部８３ｄ，８３ｅの連結は、コルセット本体８１を動物Ｄに装着した後に行うようにしてもよい。
【０１０６】
そして、コルセット本体８１を動物Ｄの腹側から包み込むように装着して、背側において帯状部材２ａをホルダー部材２ｂに通して連結して動物Ｄの胴体に装着し、コルセット本体８１を動物Ｄの胴体におおよそ装着する。
【０１０７】
この後、一のベルト部材８３ａを動物Ｄの前足の前側から後ろ側に向けて回し、前足受入れ部材８３の一のベルト部材８３ａの端部に設けられたファスナー部材８３ｃをコルセット本体８１のシート部材８１ａに設けたファスナー部材８３ｇに着脱自在に嵌合させる。これにより、動物Ｄの前足の付け根を取り巻くように前足受入れ部が形成される。一のベルト部材８３ａに形成したファスナー部８３ｃを動物Ｄの前足の前側から装着でき、動物用コルセットの装着を嫌がる動物Ｄに対して容易に装着できる。
【０１０８】
さらに、コルセット本体８１とは別部品からなる骨盤締付部材６７の分断部６７ｂ，６７ｃをコルセット本体８１に形成された係合部に係合させて、骨盤締付部材６７を後ろ足の付け根を取り巻くように取り付ける。前足受入れ部材８３の場合と同様に、動物Ｄの前足の後ろ側又は前側から装着できるので、動物用コルセットの装着を嫌がる動物Ｄに対しても容易に装着できる。
【０１０９】
コルセット本体８１を動物Ｄに装着する場合に、動物Ｄの体型に合わせてコルセット本体８１の隣接する両端部付近の連結部である帯状部材２ａ及びホルダー部材２ｂを調整した場合に、コルセット本体８１の両端部間に隙間が形成されることがあるが、両端部近傍に形成された背部覆い部材２０により背部に形成された隙間を覆うことができる。
【０１１０】
コルセット本体８１が動物Ｄの胴体の周りに配置される３枚に分離されたシート部材８１ａ，８１ｂ，８１ｃにより形成され、これらは係止部や起毛部により連結され、シート部材８１ａ，８１ｃ又はシート部材８１ｂ，８１ｃの重なり合い代が調整自在になっている。したがって、コルセット本体８１の両端部に形成された帯状部材２ａ及びホルダー部材２ｂによるコルセット本体８１の巻寸法の調整に加えて、シート部材８１ａ，８１ｂ，８１ｃに形成された係止部又は起毛部などの係合位置を調整することにより重なり合い代が調整できコルセット本体８１の巻寸法が調整できる。
【図面の簡単な説明】
【０１１１】
【図１】本発明の実施の一形態に係る動物用コルセットを表側から見た図である。
【図２】本発明の実施の一形態に係る動物用コルセットを裏側から見た図である。
【図３】本発明の実施の一形態に係る動物用コルセットにおいて骨盤締付部材を取り外した状態を示す図である。
【図４】本発明の実施の一形態に係る動物用コルセットの使用状態を示す図である。
【図５】本発明の実施の他の形態に係る動物用コルセットを表側から見た図である。
【図６】本発明の実施の他の形態に係る動物用コルセットを裏側から見た図である。
【図７】本発明の実施の他の形態に係る動物用コルセットにおいて骨盤締付部材を取り外した状態を示す図である。
【図８】本発明の実施の他の形態に係る動物用コルセットの使用状態を示す図である。
【図９】本発明の実施の更に他の形態に係る動物用コルセットを表側から見た図である。
【図１０】本発明の実施の更に他の形態に係る動物用コルセットを裏側から見た図である。
【図１１】本発明の実施の更に他の形態に係る動物用コルセットにおいて骨盤締付部材を取り外した状態を示す図である。
【図１２】本発明の実施の更に他の形態に係る動物用コルセットの使用状態を示す図である。
【図１３】本発明の実施の更に他の形態に係る動物用コルセットを構成する部品を示す図である。
【図１４】本発明の実施の更に他の形態に係る動物用コルセットを表側から見た図である。
【図１５】本発明の実施の更に他の形態に係る動物用コルセットを裏側から見た図である。
【図１６】本発明の実施の更に他の形態に係る動物用コルセットを使用状態にしたものを表面から見た図である。
【図１７】本発明の実施の更に他の形態に係る動物用コルセットを使用状態にしたものを裏面から見た図である。
【図１８】本発明の実施の更に他の形態に係る動物用コルセットのコルセット本体の縫製部分を示す略図である。
【図１９】本発明の実施の他の形態に係る動物用コルセットの矯正用心材部材の横断面図である。
【図２０】本発明の実施の更に他の形態に係る動物用コルセットの連結部材を示す図である。
【図２１】本発明の実施の更に他の形態に係る動物用コルセットに用いられる係合部材を示す図である。
【図２２】本発明の実施の更に他の形態に係る動物用コルセットにおいて図２１の係合部材を用いた状態を示す断面図である。
【図２３】本発明の実施の更に他の形態に係る動物用コルセットの使用状態を示す図である。
【図２４】本発明の実施の更に他の形態に係る動物用コルセットを示す図である。
【図２５】本発明の実施の更に他の形態に係る動物用コルセットを示す図である。
【図２６】本発明の実施の更に他の形態に係る動物用コルセットの使用状態を示す図である。
【図２７】本発明の実施の更に他の形態に係る動物用コルセットの使用状態を示す図である。
【図２８】本発明の実施の更に他の形態に係る動物用コルセットを表側から見た図である。
【図２９】本発明の実施の更に他の形態に係る動物用コルセットを裏側から見た図である。
【図３０】本発明の実施の更に他の形態に係る動物用コルセットの使用状態を示す図である。
【図３１】本発明の実施の更に他の形態に係る動物用コルセットの腹部覆い部材を表側から見た図である。
【図３２】本発明の実施の更に他の形態に係る動物用コルセットの背部覆い部材を表側から見た図である。
【図３３】本発明の実施の更に他の形態に係る動物用コルセットの使用状態を示す図である。
【図３４】本発明の実施の更に他の形態に係る動物用コルセットを表側から見た図である。
【図３５】本発明の実施の更に他の形態に係る動物用コルセットを裏側から見た図である。
【図３６】本発明の実施の更に他の形態に係る動物用コルセットの使用状態を示す図である。
【符号の説明】
【０１１２】
１，１１  コルセット本体
１ａ，１ｂ  両端部
１ｃ  凹円弧部
２  連結部
２ａ  帯状部材
２ｂ  ホルダー部材
３  前足受入れ部
３ａ  前足穴
４  矯正用心材
６  係止部
６ａ  帯状部材
６ｂ  ホルダー部材
７  骨盤締付部材
７ａ  後ろ足穴
７ｂ，７ｃ  マジックテープ（登録商標）
３１  コルセット本体
３１ａ  千鳥縫い部
３１ｂ  直線縫い部
３１ｃ  返し縫い部
３１ｄ  凹円弧部
３１ｅ  起毛部
３１ｆ  裏地
３２  連結部材
３２ａ  係合部（強力係合部）
３２ｂ  係合部（軽強度係合部）
３３  前足受入れ部材
３３ａ  係合部（強力係合部）
３３ｂ  係合部（軽強度係合部）
３４  矯正用心材部材
３４ａ  係合部（強力係合部）
３４ｂ  係合材料
３４ｃ  起毛材料
３４ｄ  骨材
３７  後ろ足受入れ部材
３７ａ  係合部（強力係合部）
３７ｂ  係合部（軽強度係合部）
４２  連結部材
４２ａ  起毛部
４３  前足受入れ部材
４３ａ  起毛部
４７  後ろ足受入れ部材
４７ａ  起毛部
４８  係合部材
４８ａ  係合部（強力係合部）
４８ｂ  係合部（軽強度係合部）
５３  首部受入れ部材
５３ａ  係合部材
６１  コルセット本体
６１ａ，６１ｂ  シート部材
６１ｅ  起毛部材（連結部）
６１ｆ  係合部（連結部）
６３  前足受入れ部
６３ａ  分断部
６３ｂ  係止部（係合構造）
６３ｃ  起毛部（係合構造）
６７  骨盤締付部材
６７ａ  後ろ足穴
６７ｂ，６７ｃ  分断部
７１ａ  腹部覆い部材（シート部材）
７１ｂ  背部覆い部材（シート部材）
７１ｃ，７１ｄ  起毛部（係合構造）
７１ｅ，７１ｆ，７１ｇ  係合部（係合構造）
７１ｈ  前足受入れ部
８１  コルセット本体
８１ａ，８１ｂ，８１ｃ  シート部材
８３  前足受入れ部材
８３ａ  一のベルト部材
８３ｂ  他のベルト部材
８３ｃ  ファスナー部材（分断部）
８３ｄ，８３ｅ  ベルト部
８３ｆ  バックル部材（調整機構）
８３ｇ  ファスナー部材（分断部）